(57)【要約】【目的】直腸に刺激を与え、その収縮運動を助長して直腸内の性感帯を開発・鍛練することができるような、新しい性感帯刺激具を提供する。【構成】直腸内に挿入可能な形状と大きさとを有する挿入部とこの挿入部の根元から会陰部方向に突出させた突起部とから成り、前記挿入部の内部にバイブレータが設けられている性感帯刺激具とした。【選択図】      図１
2004313690.tif 000002
【特許請求の範囲】
【請求項１】
直腸内に挿入可能な形状と大きさとを有する挿入部と、この挿入部の根元から会陰部方向に突出させた突起部とから成り、前記挿入部の内部にバイブレータが設けられている性感帯刺激具。
【請求項２】
直腸内に挿入可能な形状と大きさとを有する挿入部と、この挿入部の根元から会陰部方向に突出させた突起部とから成り、前記挿入部の内部及び前記突起部の内部にバイブレータが設けられている性感帯刺激具。
【請求項３】
前記バイブレータが偏心重錘を有するモータである、請求項１または請求項２に記載の性感帯刺激具。
【請求項４】
前記バイブレータの電源部が別体として設けられ本体に配線されて成る、請求項１または請求項２に記載の性感帯刺激具。
【請求項５】
前記挿入部の外表面が柔軟な素材で形成されている、請求項１または請求項２に記載の性感帯刺激具。
【請求項６】
前記挿入部の外表面が傾斜面で構成されている、請求項１または請求項２に記載の性感帯刺激具。
【請求項７】
前記突起部が前記挿入部に対して屈曲自在かつ会陰部方向に付勢されるように設けられている、請求項１または請求項２に記載の性感帯刺激具。
【発明の詳細な説明】
【０００１】
【発明の属する技術分野】
この発明は、夫婦生活を充実させるべく直腸内の性感帯を開発・鍛練するために開発された全く新しい性感帯刺激具に関する。
【０００２】
【従来の技術】
従来より夫婦生活を充実させる性感帯刺激具として、陰茎を模した形状の腟内に挿入するタイプのものが用いられて来た。またこの内部にバイブレータが設けられており、腟内に振動刺激を加えられるタイプのものも提供されている。前記バイブレータは一般的に偏心重錘を有するモータが設けられて成るものであり、このモータに電池とスイッチとが接続されている。更に前記モータの動きを細かく制御するためのコントローラが設けられたものもある。
【０００３】
ところで腟は筒形状をしており、その入り口付近に腟括約筋があり、奥の方は伸縮性に富む袋のような形状をしている。そして興奮期には奥の方が広がることが医学的に知られている。しかしながら腟自体の感覚は他の性感帯と比較してそれほど敏感ではないことが分かっている。従って上記陰茎を模した形状の性感帯刺激具では、すり漕ぎ運動などの複雑な運動をする機構を備えたものも提案されている。
【０００４】
【発明が解決しようとする課題】
さて男女を問わず直腸内にも性感帯があることが広く知られるように成った。直腸は筒形状をしており腟括約筋を有するが、興奮期に奥の方が広がると言うような現象は示さず筒形状のまま収縮運動を行なうことが医学的に知られている。この性感帯を開発・鍛練することは夫婦生活をより充実したものとするのに重要である。上述した性感帯刺激具は腟内に挿入するものであるが、これを直腸内の性感帯の開発・鍛練に利用することはできないものかと考えた。
【０００５】
しかしながら上述したように、腟では興奮期には奥の方が広がるのに対して、直腸では筒形状のまま収縮運動を行なう。このような違いがあるため性感帯刺激具にも異なるものが求められているが、未だこのようなものは存在していない。更には上述した筒形状のままで行なわれる収縮運動を助長して直腸内の性感帯を開発・鍛練することができるものでありたい。
【０００６】
そこでこの発明は、直腸の構造や運動によくマッチすると共に直腸内の性感帯を開発・鍛練することができるような、全く新しい性感帯刺激具の提供を課題とする。
【０００７】
【課題を解決するための手段及び作用】
上記課題は、直腸内に挿入可能な形状と大きさとを有する挿入部とこの挿入部の根元から会陰部方向に突出させた突起部とから成り、前記挿入部の内部にバイブレータが設けられている性感帯刺激具とすることにより達成される。
【０００８】
直腸内に挿入された挿入部が直接的に直腸に刺激を加える。また前記挿入部の内部にバイブレータが設けられていることにより、更に強い性刺激を与えることができる。従ってこれにより直腸内の性感帯の開発・鍛練が行なえるのである。また前記突起部は会陰部を刺激することになり、この刺激が更なる性刺激を導き出して性感帯の開発・鍛練に役立つ。前記突起部による会陰部への刺激は、陰核への刺激とは異なり新しい感覚を呼び覚ますものとなる。
【０００９】
また上記課題は、直腸内に挿入可能な形状と大きさとを有する挿入部と、この挿入部の根元から会陰部方向に突出させた突起部とから成り、前記挿入部の内部及び前記突起部の内部にバイブレータが設けられている性感帯刺激具とすることにより達成される。すなわちこの発明は請求項１の構成に加えて、前記突起部の内部にもバイブレータが設けられている点に特徴を有する。
【００１０】
前記突起部は会陰部を刺激するが、この内部にバイブレータが設けられていることによって、より強い性刺激を与えることが可能となる。この波及効果が直腸にも及び、性感帯の開発・鍛練に役立つのである。
【００１１】
請求項１の構成に於いてもまた請求項２の構成に於いても、前記バイブレータが偏心重錘を有するモータであるものとすることができる。
【００１２】
振動を発生させるには、回転する板バネをギヤの歯に打ち付ける機械式の振動発生機や、磁石とコイルとを組み合わせてコイルに交流電流を流す電気式の振動発生機などを任意に用いればよい。しかしながら構造の簡易さやコストなどの点からは偏心重錘を有するモータによる振動発生機がより優れている。
【００１３】
次に、請求項１の構成に於いてもまた請求項２の構成に於いても、前記バイブレータの電源部が別体として設けられ本体に配線されて成るものとすることができる。
【００１４】
電源部を別体とすることによって本体部を軽量化することができ、直腸に対する重さの負担を軽減することができる。またこの電源部にスライダック等を内蔵させることによってモータのコントローラとすることが可能である。
【００１５】
次に、請求項１の構成に於いてもまた請求項２の構成に於いても、前記挿入部の外表面が柔軟な素材で形成されているものとすることができる。
【００１６】
すなわち前記挿入部を軟質合成樹脂などで成型したり、あるいは前記挿入部が硬質素材の物であっても、軟質合成樹脂などで被覆することにより直腸に対する当たりをよりソフトなものとすることができる。なお前記突起部に付いても同様の構成とすることができる。あるいはこの性感帯刺激具の外表面の全体を柔軟な素材で形成するようにしてもよい。
【００１７】
次に、請求項１の構成に於いてもまた請求項２の構成に於いても、前記挿入部の外表面が傾斜面で構成されているものとすることができる。傾斜面とは例えばウェーブ状面であったりテーパー状面であることを言う。
【００１８】
前記挿入部が直腸内に挿入されることによって直腸は刺激を受けることになるが、直腸に対する刺激は直腸括約筋の収縮運動を助長する。特にバイブレータによる刺激はこの直腸の収縮運動を更に加速させるものとなる。直腸は筒状体のまま収縮運動を行なうわけであるから、この収縮壁面が前記挿入部に運動を与えるが、この時前記挿入部の外表面が傾斜面で構成されているため、直腸の収縮運動に伴なってこの傾斜面に力が加わり、前記挿入部も直腸の長手方向へ運動することに成る。これによって単調な刺激ではなくなり、性感という面からより効果的な刺激が生まれるのである。従って性感帯の開発・鍛練により一層の効果が得られる。なお直腸の収縮運動に伴なう前記挿入部の運動に連れて前記突起部による会陰部も運動を行なうため、会陰部に対する性刺激も増加する。従って相乗効果が得られるのである。
【００１９】
なお請求項２の構成に於いては、前記突起部の内部にもバイブレータが設けられている。従って会陰部に対してはこのバイブレータ刺激に加えて上述した前記挿入部の運動に連動する刺激が加わり、より複雑な性感覚を与えることができるのであり、性感帯の開発・鍛練に更に役立つ。
【００２０】
次に、請求項１の構成に於いてもまた請求項２の構成に於いても、前記突起部が前記挿入部に対して屈曲自在かつ会陰部方向に付勢されるように設けられているものとすることができる。
【００２１】
前記突起部と前記挿入部とが角度固定で設けられているよりは、前記突起部が柔軟に屈曲できるほうが、会陰部に与える刺激の面でよりソフトなものとなる。それだけ性刺激に集中しやすくなるわけで、性感帯の開発・鍛練に役立つ。
【００２２】
【発明の実施の形態】
以下この発明の実施形態を図面を参照しつつ説明するが、この発明はこれ等の実施形態に限定されるものではない。
【００２３】
第１実施形態
図１を用いてこの実施形態を説明する。直腸内に挿入可能な大きさの円筒形状を呈し先端が丸く成型された挿入部１と、この挿入部１の根元から会陰部方向に伸びる突起部１０とが、電池ボックスを兼ねる連結部１１により連結され、前記挿入部１の内部に、モータ２とこの回転軸に取り付けた偏心重錘２０とから成るバイブレータが設けられており、前記連結部１１内に乾電池３が納められ、この外部にスイッチ４が取り付けられており、このスイッチ４と前記モータ２と前記乾電池３とが図示しないリード線によって直列に配線されて成る。なお前記２本の乾電池３は並列接続とした。
【００２４】
前記挿入部１を直腸内に挿入して前記突起部１０を会陰部に当てるようにすると、直腸が刺激を受けると共に、会陰部刺激の波及効果が直腸にも及んで性刺激の相乗効果を発揮する。次にスイッチ４をＯＮ状態にすると、モータ２が回転して偏心重錘２０の作用によりバイブレーションを発生する。これがさらに強い性刺激を直腸に与えることに成る。こうして直腸内の性感帯の開発・鍛練が行なえるのである。
【００２５】
第２実施形態
図２を用いてこの実施形態を説明する。この実施形態の特徴は上述の第１実施形態の性感帯刺激具の突起部１０内にも、モータ２１とこの回転軸に取り付けた偏心重錘２２とから成るバイブレータが設けられている点にある。このため前記連結部１１には２つのスイッチ４，４０が取り付けられている。前記スイッチ４は前記モータ２をＯＮ／ＯＦＦするためのものであり、スイッチ４とモータ２と一側の乾電池３とが図示しないリード線により直列に配線されている。また前記スイッチ４０は前記モータ２１をＯＮ／ＯＦＦするためのものであり、スイッチ４０とモータ２１と他側の乾電池３とが図示しないリード線により直列に配線されて成る。
【００２６】
上述した第１実施形態の性感帯刺激具と同様、前記挿入部１を直腸内に挿入して前記突起部１０を会陰部に当てるようにする。スイッチ４をＯＮ状態にするとモータ２が回転して偏心重錘２０の作用によりバイブレーションを発生し、これが直腸を刺激する。またスイッチ４０をＯＮ状態にするとモータ２１が回転して偏心重錘２２の作用によりバイブレーションを発生し、これが会陰部を刺激することに成る。こうして直腸内の性感帯の開発・鍛練を行なうことができる。
【００２７】
第３実施形態
図３を用いてこの実施形態を説明する。この実施形態の特徴は前記挿入部１２の外表面に山部５と谷部５０とから成る波を付けた点にある。山部５と谷部５０との間は緩やかな傾斜面５１と成っている。すなわち山部５と谷部５０との間に形作られる傾斜面５１が特に重要である。更にこの実施形態の特徴は前記突起部１３が前記挿入部１２に対して屈曲自在かつ会陰部方向に付勢されるように設けられている点にある。すなわち挿入部１２は連結部１４に突設されており、突起部１３は前記連結部１４に回動軸１５を以て回動自在に、かつ回動軸１５に設けられた図示しないコイルバネによって前記突起部１３を会陰部方向に付勢されるように、取り付けられている。
【００２８】
前記傾斜面５１は、この実施形態で挿入部１２の周囲全体としてウェーブ状面を形成しているが、符号５１が振られた部分だけを見ればテーパー状面であると言うことができる。そもそも前記挿入部１２が直腸内に挿入されることによって直腸は刺激されこの刺激が直腸括約筋の収縮運動を助長するが、モータ２が回転してバイブレーションが加えられているとこの直腸の収縮運動は更に加速されることに成る。直腸は筒状体のまま収縮運動を行ない、この結果直腸が前記傾斜面５１を押すことになり、挿入部１２が直腸の収縮運動に連れて直腸の長手方向へ人の手を借りずとも自動的に運動する。この作用により前記突起部１３が会陰部をリズミカルに押して会陰部に刺激を与え、この波及効果として直腸の性刺激が更に高まるのである。
【００２９】
なお会陰部を押す前記突起部１３は、前記連結部１４に対し回動軸１５を以て回動自在にかつ柔軟に取り付けられているため、直腸の収縮運動すなわち挿入部１２の往復運動が会陰部にソフトに伝えられると言う特長がある。
【００３０】
第４実施形態
図４を用いてこの実施形態を説明する。この実施形態の特徴は上述の第３実施形態の性感帯刺激具の挿入部１２及び突起部１３に付いて、これ等の外表面部分が柔軟な医療用のゴムで被覆されている点に特徴を有する。符号６はこの透明な被覆層を指す。
【００３１】
これにより前記挿入部１２に付いては直腸に対する当たりをよりソフトなものとすることができる。また突起部１３による会陰部に対する当たりをよりソフトなものとすることができる。なお柔軟な素材にはこの実施形態の医療用ゴムなどの軟質性ゴム材料の他にも、例えば軟質性塩化ビニール樹脂などのような軟質性樹脂素材のものとすることが出来る。また被覆するのではなく、挿入部や突起部の本体そのものをこれ等の軟質材料を用いて成型したものとすることができる。また柔軟な素材には美麗な透明素材も利用可能である。
【００３２】
第５実施形態
図５を用いてこの実施形態を説明する。この実施形態の特徴は挿入部１２及び突起部１３から電池ボックス７を別体として設けている点にある。すなわち挿入部１２は連結部１６に突設されており、また突起部１３は前記連結部１６に回動軸１５を以て回動自在に、かつ回動軸１５に設けられた図示しないコイルバネによって前記突起部１３を会陰部方向に付勢されるように、取り付けられている。前記連結部１６は電池ボックスではなく電池３は前記連結部１６とは別体の電池ボックス７に納められている。この電池ボックス７には２つのスイッチ８，８０が取り付けられており、一側の電池３とスイッチ８と前記挿入部１２内のモータ２とがリード線により直列に配線されている。また他側の電池３とスイッチ８０と前記突起部１３内のモータ２１とがリード線によって直列に配線されている。これ等のリード線は束ねられて符号９で示すように電池ボックス７と連結部１６との間に渡されている。
【００３３】
電源部である電池ボックス７が別体であるから、挿入部１２及び突起部１３とこれ等を連結する連結部１６とから成る本体部を軽量化することができ、直腸に対する重さの負担を軽減することができるのである。同様に手による取り扱いも楽である。
【００３４】
第６実施形態
図６を用いてこの実施形態を説明する。この実施形態の特徴は上述の第３実施形態の性感帯刺激具に付いて、挿入部１２が突設された連結部１４の挿入部１２とは反対側に持手１７が突設されている点にある。
【００３５】
連結部１４に持手１７が設けられていることによってこの性感帯刺激具の取り扱いがより自在なものと成るなどの特長を生ずる。
【００３６】
【発明の効果】
以上この発明の性感帯刺激具は、直腸内に挿入可能な形状と大きさとを有する挿入部とこの挿入部の根元から会陰部方向に突出させた突起部とから成り、前記挿入部の内部にバイブレータが設けられているものである。更に前記突起部の内部にバイブレータが設けられているものである。
【００３７】
これにより直腸に刺激を与え、その収縮運動を助長して直腸内の性感帯を開発・鍛練することができると言う、全く新しい性感帯刺激具を提供することに成功している。
【図面の簡単な説明】
【図１】第１実施形態の説明図である。
【図２】第２実施形態の説明図である。
【図３】第３実施形態の説明図である。
【図４】第４実施形態の説明図である。
【図５】第５実施形態の説明図である。
【図６】第６実施形態の説明図である。
【符号の説明】
１    挿入部
１０  突起部
１１  連結部
１２  挿入部
１３  突起部
１４  連結部
１５  回動軸
１６  連結部
１７  持手
２    モータ
２０  偏心重錘
２１  モータ
２２  偏心重錘
３    乾電池
４    スイッチ
４０  スイッチ
５    山部
５０  谷部
５１  傾斜面
６    被覆層
７    電池ボックス
８    スイッチ
８０  スイッチ
９    リード線
【図１】
2004313690.tif 000003
【図２】
2004313690.tif 000004
【図３】
2004313690.tif 000005
【図４】
2004313690.tif 000006
【図５】
2004313690.tif 000007
【図６】
2004313690.tif 000008